(57)【要約】【課題】配線ケーブルの取り外し及び取り付け作業を、簡易にかつ効率良く行うことが可能な作業用ボードを提供する。【解決手段】作業用ボード１は、ＡＶ機器４及びアンテナ５に接続された配線ケーブル３の取り外し及び取り付け作業に用いられる。この作業用ボード１は、配線ケーブル３の先端に設けられたコネクタ３−１を挿入して仮置きするための複数の貫通孔１１−１等を備え、これらの貫通孔１１等の近傍に、配線ケーブル３の取り外し及び取り付け作業の際に目印となる識別子が設けられている。作業者は、テレビジョン受信機２，６の端子名称と、作業用ボード１に表示された識別子とを目印に、配線ケーブル３の取り外し及び取り付け作業を行う。【選択図】図２
0003130830.tif 000002
【実用新案登録請求の範囲】
【請求項１】
配線ケーブルの取り外し及び取り付け作業を支援する作業用ボードであって、
前記配線ケーブルの先端に設けられたコネクタを挿入して仮置きするための複数の貫通孔と、
前記取り外し及び取り付け作業の際に目印となる、前記貫通孔毎に表示された識別子とを備えたことを特徴とする作業用ボード。
【請求項２】
請求項１に記載の作業用ボードにおいて、
前記配線ケーブルがビデオケーブルの場合に、
前記貫通孔は、映像用コネクタ、音声Ｌ用コネクタ及び音声Ｒ用コネクタをそれぞれ挿入して仮置きするための３つの孔を組として、前記配線ケーブル毎に配列されていることを特徴とする作業用ボード。
【請求項３】
請求項２に記載の作業用ボードにおいて、
前記貫通孔毎に表示される識別子は、映像用コネクタの場合に黄色、音声Ｌ用コネクタの場合に白色、音声Ｒ用コネクタの場合に赤色とすることを特徴とする作業用ボード。
【請求項４】
請求項１から３までのいずれか一項に記載の作業用ボードにおいて、
さらに、広告用の領域を備えたことを特徴とする作業用ボード。
【請求項５】
請求項１から４までのいずれか一項に記載の作業用ボードにおいて、
前記貫通孔の代わりに、該作業用ボードの側辺または上辺に設けられ、前記配線ケーブルの先端に設けられたコネクタを仮置きするための複数の凹部を備えたことを特徴とする作業用ボード。
【請求項６】
請求項１から４までのいずれか一項に記載の作業用ボードにおいて、
前記貫通孔の代わりに、切り込みを有する弾性体を備え、
前記配線ケーブルは、その先端に設けられたコネクタが前記切り込みに挿入されて仮置きされることを特徴とする作業用ボード。
【考案の詳細な説明】
【技術分野】
【０００１】
本考案は、ビデオケーブルやアンテナケーブル等の配線ケーブルを扱う作業に際し、配線ケーブルの取り外し及び取り付け作業を支援する作業用ボードに関する。
【背景技術】
【０００２】
図１は、配線ケーブルの付け換え作業を説明するための概略図である。テレビジョン受信機２において、テレビジョン受信機２と複数のＡＶ（Ａｕｄｉｏ  Ｖｉｓｕａｌ：オーディオビジュアル）機器４との間、テレビジョン受信機２とＶＨＦアンテナ、ＵＨＦアンテナ及びＢＳアンテナアンテナ等のアンテナ５との間には、複数の配線ケーブル３が使用され接続されている。この配線ケーブル３には、図１に示すように、（ａ）アナログＵＨＦ・ＶＨＦケーブル、（ｂ）ＢＳ−ＩＦケーブル、（ｃ）ビデオケーブル、（ｄ）Ｄ端子ケーブル等がある。
【０００３】
ここで、作業者が新たにテレビジョン受信機６を購入し、テレビジョン受信機２に接続して使用していたＡＶ機器４及びアンテナ５等の電気機器を、引き続き新たなテレビジョン受信機６においても使用する場合には、配線ケーブル３の付け換え作業が必要となる。具体的には、配線ケーブル３をテレビジョン受信機２から取り外し、新たなテレビジョン受信機６に取り付ける必要がある。
【考案の開示】
【考案が解決しようとする課題】
【０００４】
しかしながら、テレビジョン受信機２から新たなテレビジョン受信機６へ配線ケーブル３を付け換える作業において、例えば、複数のＡＶ機器４にそれぞれ同じ形態の配線ケーブル３が使用されている場合には、テレビジョン受信機２から配線ケーブル３を取り外した際にどのＡＶ機器４に接続されている配線ケーブル３であるかの区別が困難になり、新たなテレビジョン受信機６への付け換え作業を効率良く行うことができないという問題があった。
【０００５】
また、ビデオケーブル、アナログＵＨＦ・ＶＨＦケーブル等の多数の配線ケーブル３を使用している場合には、全ての配線ケーブル３を直接そのまま付け換えることが作業上難しい。このため、効率的な付け換え作業を行うためには、個々の配線ケーブル３を区別できる状態で一旦仮置きできることが望ましい。
【０００６】
そこで、本考案は前記課題を解決するためになされたものであり、その目的は、配線ケーブルの取り外し及び取り付け作業を、簡易にかつ効率良く行うことが可能な作業用ボードを提供することにある。
【課題を解決するための手段】
【０００７】
本考案による作業用ボードは、配線ケーブルの取り外し及び取り付け作業を支援する作業用ボードであって、前記配線ケーブルの先端に設けられたコネクタを挿入して仮置きするための複数の貫通孔と、前記取り外し及び取り付け作業の際に目印となる、前記貫通孔毎に表示された識別子とを備えたことを特徴とする。
【０００８】
また、前記配線ケーブルがビデオケーブルの場合に、前記貫通孔は、映像用コネクタ、音声Ｌ用コネクタ及び音声Ｒ用コネクタをそれぞれ挿入して仮置きするための３つの孔を組として、前記配線ケーブル毎に配列されていることが望ましい。
【０００９】
また、前記配線ケーブルがビデオケーブルの場合に、前記貫通孔毎に表示される識別子は、映像用コネクタの場合に黄色、音声Ｌ用コネクタの場合に白色、音声Ｒ用コネクタの場合に赤色とすることが望ましい。
【００１０】
また、本考案による作業用ボードは、さらに、広告用の領域を備えたことを特徴とする。
【００１１】
また、本考案による作業用ボードは、前記貫通孔の代わりに、該作業用ボードの側辺または上辺に凹状に設けられ、前記配線ケーブルの先端に設けられたコネクタを仮置きするための複数の凹部を備えたことを特徴とする。
【００１２】
また、本考案による作業用ボードは、前記貫通孔の代わりに、切り込みを有する弾性体を備え、前記配線ケーブルは、その先端に設けられたコネクタが前記切り込みに挿入されて仮置きされることを特徴とする。
【考案の効果】
【００１３】
以上のように、本考案の作業用ボードによれば、貫通孔毎に表示された識別子が、付け換え作業の際に目印となるから、取り外した複数の配線ケーブルを、区別できる状態で一旦仮置きすることができる。例えば、第１のテレビジョン受信機から新たな第２のテレビジョン受信機に配線ケーブルを付け換える場合は、配線ケーブルが接続されている（取り外される）第１のテレビジョン受信機の端子名称と、作業用ボードの識別子と、配線ケーブルが接続される（取り付けられる）新たな第２のテレビジョン受信機の端子名称とを目印として、作業を行うことができる。したがって、配線ケーブルを誤って付け換えることがなく、簡易にかつ効率良く作業を行うことが可能となる。
【考案を実施するための最良の形態】
【００１４】
以下、本考案を実施するための最良の形態について図面を用いて詳細に説明する。
〔構成〕
図２は、本考案の実施の形態による作業用ボードを示す前面図である。この作業用ボード１は、前面からみて左側部に、ＢＳ−ＩＦケーブルを仮置きするための貫通孔２１、デジタルＵＨＦ・ＶＨＦケーブル用の貫通孔２２、アナログＵＨＦ・ＶＨＦケーブル用の貫通孔２３を備え、中央部に、ビデオ１〜４及びビデオ出力に区別して配列されたビデオケーブル映像用の貫通孔１１−１、ビデオケーブル音声Ｌ用の貫通孔１１−２、ビデオケーブル音声Ｒ用の貫通孔１１−３、及びＤ端子ケーブル用の貫通孔１２をそれぞれ備え、右側部に、ｉ．ＬＩＮＫケーブル用の貫通孔３１、及びＨＤＭＩケーブル用の貫通孔３２を備えている。尚、斜線部は貫通孔を示している。
【００１５】
また、作業用ボード１には、貫通孔２１，２２，２３，１１−１〜１１−３，１２，３１，３２毎に、「ＢＳ−ＩＦ」「デジタルＵＨＨ・ＶＨＦ」「アナログＵＨＦ・ＶＨＦ」「ビデオ１  Ｓ−Ｖｉｄｅｏ  Ｖｉｄｅｏ」「ビデオ１  Ｌ」「ビデオ１  Ｒ」等のように、それぞれの貫通孔に挿入される配線ケーブル３を区別するための名称（識別子）が表示されている。貫通孔１１−１，１１−２，１１−３は配線ケーブル３がビデオケーブルの場合に用いられ、それぞれの識別子は、前述した文字名称に加えて、その貫通孔を周回する円形の輪の色として、ビデオケーブルのコネクタの色（図１（ｃ）を参照）に合わせた黄色、白色及び赤色が表示されている。また、作業用ボード１の上部及び下部には、広告用の文字、記号、絵等が表示される領域４１，４２が設けられている。
【００１６】
図３は、図２に示した作業用ボード１におけるビデオケーブル映像端子用の貫通孔１１−１の構成を示す図である。この貫通孔１１−１は、上部の円形孔１１−１−１と、下部の孔であって、円形孔１１−１−１の直径よりも一回り小さい幅の長方形孔１１−１−２とを組み合わせて形成され、長方形孔１１−１−２の底部が少し丸みを帯びている。また、貫通孔１１−１の内側には、断面部１０１が設けられている。
【００１７】
図４は、図２に示した作業用ボード１におけるビデオケーブル映像用の貫通孔１１−１に配線ケーブル３を挿入して仮置きする様子を説明する図である。この円形孔１１−１−１は、配線ケーブル３の先端に設けられたコネクタ３−１を挿入するための孔であり、底部が丸みを帯びた長方形孔１１−１−２は、配線ケーブル３のコード部３−３またはコネクタ３−１のテーパ部３−２（図４を参照）を底部付近の断面部１０１に置いて仮置きする、または挟み込んで仮置きするための孔である。上部の円形孔１１−１―１の径は、コネクタを挿入するために、コネクタの径よりも大きく形成されており、下部の長方形孔１１−１−２の幅は、コネクタが抜けないように、コネクタの径よりも小さく形成されている。この構成は、貫通孔２１〜２３，１１−２，１１−３についても同様である。
【００１８】
また、図２に示した作業用ボード１におけるＤ端子ケーブル用の貫通孔１２、ｉ．ＬＩＮＫケーブル端子用の貫通孔３１及びＨＤＭＩケーブル端子用の貫通孔３２は、それぞれの配線ケーブル３の先端に設けられた四角形状のコネクタを挿入するための長方形の孔であり、これらの貫通孔１２，３１，３２の内側には、図３に示した断面部１０１と同様の断面部が設けられている。配線ケーブル３は、そのコード部またはコネクタのテーパ部を底部の断面部に置いて仮置きされる。
【００１９】
〔配線ケーブルの付け換え作業〕
次に、図２に示した作業用ボード１を用いた配線ケーブル３の付け換え作業について説明する。図１に示したように、テレビジョン受信機２と複数のＡＶ機器４及びアンテナ５との間に複数の配線ケーブル３が接続されているものとする。このような状態の下で、図２に示した作業用ボード１を用いて、新たなテレビジョン受信機６にこれらの配線ケーブル３が付け換えられる。
【００２０】
まず、作業者が、個々の配線ケーブル３をテレビジョン受信機２から取り外す際に、配線ケーブル３が接続されているテレビジョン受信機２の端子名称を確認し、それに対応する作業用ボード１の識別子を特定する。図４を参照して、例えば、配線ケーブル３がビデオケーブルであって、テレビジョン受信機２の端子名称が「ビデオ１映像」である場合は、作業用ボード１におけるビデオ１のビデオケーブル映像端子用の貫通孔１１−１に対応付ける。そして、そのビデオケーブル３のコネクタ３−１をテレビジョン受信機２から取り外し、貫通孔１１−１の円形孔１１−１−１に挿入した後、下方向へ移動させて、ビデオケーブル３のコード部３−３またはコネクタ３−１のテーパ部３−２を長方形孔１１−１−２の底部付近の断面部１０１に置いて仮置きする、または挟み込んで仮置きする。
【００２１】
また、同様に、テレビジョン受信機２の端子名称が「ビデオ１音声Ｌ」である場合は、ビデオケーブル音声Ｌ端子用の貫通孔１１−２に対応付け、ビデオケーブルを貫通孔１１−２に仮置きする。その他、配線ケーブル３がアナログＵＨＦ・ＶＨＦケーブル、ＢＳ−ＩＦケーブル、Ｄ端子ケーブル等の場合も同様であり、貫通孔２３，２１，１２等に仮置きする。
【００２２】
そして、作業者は、全ての配線ケーブル３を作業用ボード１の貫通孔にぞれぞれ仮置きした後、作業用ボード１の貫通孔の識別子と、配線ケーブル３が取り付けられるテレビジョン受信機６の端子名称とを対応付ける。そして、配線ケーブル３のコネク３−１を貫通孔から抜き取り（図４に示した例では、ビデオケーブル３のコネクタ３−１を上方向に移動させて、貫通孔１１−１の円形孔１１−１−１から抜き取り）、新たなテレビジョン受信機６の端子に取り付ける。このような作業により、全ての配線ケーブル３がテレビジョン受信機２から新たなテレビジョン受信機６へ付け換えられる。
【００２３】
以上のように、本考案の実施の形態によれば、複数の配線ケーブル３をテレビジョン受信機２から新たなテレビジョン受信機６へ付け換える場合に、作業用ボード１を用いるようにした。具体的には、作業者は、配線ケーブル３が接続されているテレビジョン受信機２の端子名称と、作業用ボード１の貫通孔の名称とを目印にして、配線ケーブル３をテレビジョン受信機２から取り外し作業用ボード１の貫通孔に一旦仮置きし、そして、配線ケーブル３が仮置きされた作業用ボード１の貫通孔の名称と、配線ケーブル３が接続されるべき新たなテレビジョン受信機６の端子名称とを目印にして、配線ケーブル３を作業用ボード１の貫通孔から抜き取り新たなテレビジョン受信機６に取り付ける。この場合、テレビジョン受信機２から取り外した複数の配線ケーブル３を、区別できる状態で作業用ボード１に一旦仮置きすることができる。これにより、テレビジョン受信機６のどこの端子に配線ケーブル３を取り付ければよいかを容易に認識することができる。したがって、配線ケーブル３の付け換え作業を効率良く行うことが可能となる。
【００２４】
また、本考案の実施の形態によれば、作業用ボード１に広告のための領域４１，４２を設けるようにした。これにより、配線ケーブル３の付け換え作業を効率良く行うことができることに加えて、作業用ボード１を、企業等の宣伝や製品ＰＲのために使用することができる。
【００２５】
〔他の作業用ボードの例〕
図５は、本考案の実施の形態による他の作業用ボードの概略を示す図である。図５において、斜線で示した箇所が図２に示した貫通孔に相当する箇所である。尚、識別子の表示は省略してある。図５（ａ）の作業用ボードは、貫通孔が楕円形または円形の孔で形成されている。図５（ｂ）の作業用ボードは、図５（ａ）のボードを２つ折りにして形成され、そのうちの一方を基台とし、他方を起立させたものである。この作業用ボードによれば、他方を起立させた状態で配線ケーブル３を仮置きすることができるから、作業が容易になり、一層効率良く作業を行うことができる。
【００２６】
図５（ｃ）の作業用ボードは、配線ケーブル３を仮置きするための貫通孔の代わりに、作業用ボードの側辺から水平に延びた長方形及び楕円形を組み合わせ凹部が、両側辺にそれぞれ複数設けられている。この作業用ボードでは、配線ケーブル３のコード部３−３を側辺の長方形の凹部から横方向にスライドさせて楕円形の凹部に到達させ、配線ケーブル３を仮置きする。図５（ｃ）の左側の作業用ボードは、図２に示した作業用ボード１と同様に１枚のボードから形成されている。また、右側の作業用ボードは、２つ折りにして形成され、そのうちの一方を基台として、他方を起立させたものである。また、図示していないが、凹部は上辺に設けるようにしてもよい。
【００２７】
図５（ｄ）の作業用ボードは、内部に空間を有する直方体のボード、または内部に空間を有する直方体の一面（背面）を取り除いたボードである。この作業用ボードによれば、直方体の底面により、前面のボードを起立させた状態で使用することができるから、一層効率良く作業を行うことができる。
【００２８】
以上、実施の形態を挙げて本考案を説明したが、本考案は上記実施の形態に限定されるものではなく、その技術思想を逸脱しない範囲で種々変形可能である。例えば、図２及び図５では、配線ケーブル３が仮置される箇所を貫通孔または凹部として形成するようにしたが、配線ケーブル３を挿入することが可能な切り込みを入れたゴム等の弾性体を用いるようにしてもよい。
【００２９】
また、上記実施の形態では、配線ケーブル３をテレビジョン受信機２から新たな配線ケーブル３へ付け換える作業を説明したが、テレビジョン受信機２から同じテレビジョン受信機２に再度付け直す作業においても同様である。
【００３０】
また、図２に示した作業用ボード１では、ビデオ１，２・・毎に貫通孔１１−１〜１１−３を縦方向に配列しているが、横方向に配列するようにしてもよい。また、図２及び図５に示した貫通孔の形状を、三角形、逆三角形、菱形等に形成するようにしてもよく、その内部を断面部１０１とする代わりに山型に形成するようにしてもよい。また、作業用ボードの材質は紙であってもよいしプラスチックであってもよい。
【図面の簡単な説明】
【００３１】
【図１】配線ケーブルの付け換え作業を説明する概略図である。
【図２】本考案の実施の形態による作業用ボードを示す前面図である。
【図３】図２の作業用ボードにおけるビデオケーブル映像用の貫通孔の構成を示す図である。
【図４】図２の作業用ボードにおけるビデオケーブル映像用の貫通孔に配線ケーブルを挿入して仮置きする様子を説明する図である。
【図５】本考案の実施の形態による他の作業用ボードの概略を示す図である。
【符号の説明】
【００３２】
１  作業用ボード
２，６  テレビジョン受信機
３  配線ケーブル
３−１  コネクタ
３−２  テーパ部
３−３  コード部
４  ＡＶ機器
５  アンテナ
１１−１〜１１−３，２１，２２，２３，３１，３２  貫通孔
４１，４２  広告領域
１０１  断面部
【図１】
0003130830.tif 000003
【図２】
0003130830.tif 000004
【図３】
0003130830.tif 000005
【図４】
0003130830.tif 000006
【図５】
0003130830.tif 000007